(57)【要約】【課題】  配線管理装置において、機械的キーを用いないで、アダプタに挿入接続されたコネクタプラグをロックし又はアンロックすること。【解決手段】  配線管理装置は、複数個の光アダプタ２が配置されたパネル３と、光アダプタ２に挿入接続されたメモリ付き光コネクタプラグ１の抜去を防止する電気的に制御可能なロック機構を具備している。メモリ付き光コネクタプラグ１は、ロック要求又は非要求などの接続情報が記憶されたメモリ４を備えた光コネクタプラグである。配線管理装置は、リーダー５が読み出した上記接続情報に基づいて上記ロック機構を制御する制御部１１を有する。上記ロック機構は、メモリ付き光コネクタプラグ１に形成されたロック穴１ａと、光アダプタ２に取り付けられたロックピン１０と駆動部９とから構成されている。【選択図】  図３
2005084162.tif 000002
【特許請求の範囲】
【請求項１】
接続情報が記憶されたメモリを備えたメモリ付きコネクタプラグと、前記メモリ付きコネクタプラグが挿入接続されるアダプタと前記アダプタに挿入接続されたメモリ付きコネクタプラグの接続情報を前記メモリから読み出すリーダーとが配置されたコネクタ収容装置と、前記アダプタに差し込まれたメモリ付きコネクタプラグの抜去を防止する電気的に制御可能なロック機構と、前記リーダーが読み出した接続情報に基づいて前記ロック機構をロック又はアンロックする制御部とで構成された配線管理装置。
【請求項２】
接続情報が記憶されたメモリを備えたメモリ付きコネクタプラグと、前記メモリ付きコネクタプラグが挿入接続されるアダプタと前記アダプタに挿入接続されたメモリ付きコネクタプラグの接続情報を前記メモリから読み出すリーダーとが配置されたコネクタ収容装置と、前記アダプタに差し込まれたメモリ付きコネクタプラグの抜去を防止する電気的に制御可能なロック機構と、アンロック要求を行う要求ボタンと、アンロックするメモリ付きコネクタプラグのパスワードを入力する入力キーと、前記要求ボタンで要求されたメモリ付きコネクタプラグのメモリからリーダーが読み出したパスワードと前記入力キーから入力されたパスワードの一致に基づいて前記ロック機構をアンロックする制御部とで構成された配線管理装置。
【請求項３】
前記メモリは外部から非接触で接続情報を読出し又は書込みができるものであること、及び前記リーダーは前記アダプタ毎に配置されたものであることを特徴とする請求項１又は２の配線管理装置。
【請求項４】
前記ロック機構は、前記コネクタプラグに形成されたロック穴と、前記アダプタに取り付けられたロックピンと前記ロックピンを前記ロック穴に嵌合又は離脱させるように駆動する駆動部とから構成されたものであることを特徴とする請求項１から３のいずれかの配線管理装置。
【請求項５】
前記制御部は、メモリ付き光コネクタプラグのロック又はアンロックを一括して行うものであることを特徴とする請求項１又は２の配線管理装置。
【請求項６】
前記コネクタプラグは光コネクタプラグであり、且つ前記アダプタは光アダプタであることを特徴とする請求項１から５のいずれかの配線管理装置。
【請求項７】
前記コネクタプラグは電気信号線用コネクタプラグであり、且つ前記アダプタは電気信号線用アダプタであることを特徴とする請求項１から５のいずれかの配線管理装置。
【発明の詳細な説明】
【技術分野】
【０００１】
本発明は、外部から非接触で必要な情報の書込みと読出しができるメモリを取り付けたメモリ付コネクタプラグが挿入接続されるアダプタがコネクタ収容装置に配置された配線管理装置に関し、特に、人為的ミスによるコネクタプラグの抜き取り防止に関する。
【背景技術】
【０００２】
本出願人は先に特開２００３−２０７６８６号公報（特許文献１）に開示されたメモリ付き光コネクタを開発した。即ち、このメモリ付き光コネクタは、外部から非接触で必要な情報の書込みと読出しができるメモリを取り付けたメモリ付光コネクタプラグと、前記光コネクタプラグが挿入接続される光アダプタであって前記メモリに記憶された情報を読み出すリーダーが取り付けられたリーダー付光アダプタとから構成されたものである。本願明細書における配線管理装置は、例えば、上記メモリ付き光コネクタプラグが挿入接続されるメモリ付き光アダプタをパネル上に配置して構成されたものである。
【０００３】
上述の如き配線管理装置に限らず、一般に多数のアダプタがパネル上に配置された配線管理装置においては、コネクタプラグを指定されたアダプタに確実に挿入接続することが重要であるが、アダプタに挿入接続されているコネクタプラグを誤って抜去しないようにすることも同様に重要なことである。活線状態にある非常に重要な回線、例えば救急回線のコネクタプラグを抜去すれば、人命に関わる重大な事故を引き起こす危険があるからである。このような危険な状況が存在しているのに、従来の配線管理装置においては、コネクタプラグはアダプタから容易に抜去することが可能な構造となっている。従って、作業者は、十分な注意を払いながら、アダプタへのコネクタプラグの挿入と抜去の作業を慎重に行っている。しかしながら、十分な注意を払っても人間は思い違いや勘違い等によってもミスを犯すものである。このため、十分な注意を払っても人為的なミスによる重大事故の発生を防止することは不可能である。
【０００４】
そこで、アダプタにコネクタプラグが挿入接続された場合にはロック機構を作動させてロックするようにし、そしてロック機構を作動させてアンロックしない限りアダプタからコネクタプラグを抜去できないようにすることが考えられる。例えば、特開平１０−３３２９８７号公報（特許文献２）に記載されている光コネクタリセプタクルに採用されているロック機構を、配線管理装置に採用することが考えられる。
【０００５】
ところで、特許文献２に記載されている光コネクタリセプタクルに採用されているロック機構は、光コネクタプラグを装着した状態で規制板を規制板挿入溝に挿入することによって光コネクタプラグをロックし、前記規制板を前記規制板溝から引き抜くことによってアンロックするもので、前記アンロックには特別な機械的キーが必要である。
【０００６】
しかしながら、特許文献２に記載されているような規制板と特別な機械的キーを用いたロック機構は構造が複雑であり、これを多数のアダプタが配置された配線管理装置に採用することは極めて難しい。仮に採用した場合、アダプタ毎に機械的キーを備えなければならないから作業者にとって操作し難いという問題がある。しかも、機械的キーを用いたロック機構であっても、作業者が思い込みや勘違いがあれば、活線状態にある非常に重要な回線のコネクタプラグのロック機構をアンロックし、前記コネクタプラグを抜去する危険性は相変わらず存在する。
【０００７】
【特許文献１】特開２００３−２０７６８６号公報
【特許文献２】特開平１０−３３２９８７号公報
【発明の開示】
【発明が解決しようとする課題】
【０００８】
本発明が解決しようとする第１の課題は、メモリ付きコネクタプラグが挿入接続されるアダプタがコネクタ収容装置に配置された配線管理装置において、アダプタに挿入接続されたコネクタプラグが人為的なミスによって抜去されないようにすることである。
本発明が解決しようとする第２の課題は、メモリ付きコネクタプラグが挿入接続されるアダプタがパネル上に配置された配線管理装置において、機械的キーを用いないで、アダプタに挿入接続されたコネクタプラグをロック又はアンロックすることである。
【課題を解決するための手段】
【０００９】
上述の課題を解決する配線管理装置を、接続情報が記憶されたメモリを備えたメモリ付きコネクタプラグと、前記メモリ付きコネクタプラグが挿入接続されるアダプタと前記アダプタに挿入接続されたメモリ付きコネクタプラグの接続情報を前記メモリから読み出すリーダーとが配置されたコネクタ収容装置と、前記アダプタに差し込まれたメモリ付きコネクタプラグの抜去を防止する電気的に制御可能なロック機構と、前記リーダーが読み出した接続情報に基づいて前記ロック機構をロック又はアンロックする制御部とで構成した。
【発明の効果】
【００１０】
本発明により、配線管理装置に配置されているアダプタに挿入接続されているコネクタプラグが人為的ミスによって前記アダプタから抜去されることがなくなり、回線の信頼性向上と配線管理の簡略化を図ることができた。
【発明を実施するための最良の形態】
【００１１】
本発明に係る配線管理装置は、外部から非接触で接続情報を読出し又は書込み可能なメモリを備えたメモリ付きコネクタプラグと、前記コネクタプラグが挿入接続されるアダプタと前記アダプタに挿入接続されたメモリ付きコネクタプラグの接続情報を前記メモリから読み出すリーダーとが配置されたコネクタ収容装置と、前記アダプタに差し込まれたメモリ付きコネクタプラグの抜去を防止する電気的に制御可能なロック機構と、前記リーダーが読み出した接続情報に基づいて前記ロック機構をロック又はアンロックする制御部とで構成されたものである。そして、前記電気的に制御可能なロック機構は、前記メモリ付きコネクタプラグに形成されたロック穴と、前記ロック穴に挿入され又は前記ロック穴から離脱するロックピンを電気的に駆動する駆動部とで構成されている。
【実施例】
【００１２】
本発明の一実施例の配線管理装置は、図１と図２に示す如く、外部から非接触で接続情報を読出し又は書込み可能なメモリ４を備えたメモリ付き光コネクタプラグ１と、メモリ付き光コネクタプラグ１が挿入接続される１２個の光アダプタ２と、接続情報をメモリ４から読み出すリーダー５と、電気的に制御可能なロック機構と、リーダー５が読み出した接続情報に基づいて前記ロック機構をロック又はアンロックする制御部が含まれている。
【００１３】
また、本発明の一実施例の配線管理装置は、図４のブロック構成図に示す如く、制御部１１にリーダー５、要求ボタン６、コマンド入力キー７、表示部８、駆動部９及び通信部１２が接続されたものである。
【００１４】
１２個の光アダプタ２は、６個ずつ上下２段に配置されパネル３に取り付けられている。パネル３には、更に、リーダー５、１２個の要求ボタン６、コマンド入力キー７、ディスプレイ８が取り付けられている。リーダー５は、それぞれの光アダプタ２の下側に近接して配置されている。要求ボタン６は、それぞれの光アダプタ２の上側に近接して配置されている。
【００１５】
図１に３個だけ示してある光コネクタプラグ１はいずれも、図２及び図３に示す如く、メモリ付き光コネクタプラグである。即ち、光コネクタプラグ１の下側にはメモリ４が固着されている。メモリ４は、外部から非接触で必要な情報の書込みと読出しができるメモリである。メモリ４には、配線管理に必要な管理情報が予め記憶されている。また、光コネクタプラグ１の上側には、ロック穴１ａが形成されている。
【００１６】
光アダプタ２には、図３に示す如く、その上側に駆動部９とロックピン１０とで構成されたロック機構が取り付けられている。駆動部９はソレノイドコイルの如き電磁駆動部であり、ロックピン１０は前記ソレノイドコイルで前進又は後退するように駆動される磁性体ピンの如きものである。光コネクタプラグ１が光アダプタ２のアダプタ穴２ａに挿入接続される前の図３（Ａ）においては、ロックピン１０は駆動部９によってアダプタ穴２ａから後退し、この位置に保持されている。光コネクタプラグ１が光アダプタ２のアダプタ穴２ａに挿入接続された図３（Ｂ）においては、ロックピン１０は駆動部９によって光コネクタプラグ１のロック穴１ａに嵌合し、この状態を保持されている。
【００１７】
上述の如く構成された本発明の一実施例の配線管理装置の動作を、接続時のフローチャートである図５と、抜去時のフローチャートである図６を参照しながら、以下に説明する。
【００１８】
図５において、メモリ光付き光コネクタプラグ１が光アダプタ２に挿入接続されると、リーダー５はメモリ４に記憶されている接続情報を含むデータを読出し、制御部１１に入力する（１０１）。続いて、制御部１１はステップ１０１で入力された接続情報がロック要求信号かロック非要求信号かを判定する（１０２）。制御部１１は、接続情報がロック要求信号であると判定した場合には駆動部９を操作してロックピン１０をロック位置まで前進させ、ロック機構をロックさせる（１０３）。前記ロックピン１０のロック位置とは、その先端が光コネクタプラグ１のロック穴１ａに嵌合する位置である。これにより、光アダプタ２に挿入された光コネクタプラグ１はロックされ、何人も当該光コネクタプラグ１を光アダプタ２から引き抜くことができなくなる。
【００１９】
ステップ１０３のロック動作が終了すると、制御部１１は通信部１２を介して、光アダプタに挿入接続された当該光コネクタプラグがロックされたことを外部に通知する（１０４）。ステップ１０２において、接続情報がロック非要求信号であると判定した場合には、制御部１１は通信部１２を介して、光アダプタに挿入接続された当該光コネクタプラグがロック無しであることを外部に通知する（１０５）。上記外部への通知先は、例えば管理室のコンピュータである。ステップ１０４と１０５の後は、動作の流れはステップ１０１に戻る。
【００２０】
次にコネクタを引き抜く場合には、図６に示す如く、作業者は引き抜きたい光コネクタプラグ１が挿入接続されている光アダプタ２に対応する要求ボタンを押し（２０１）、続いてコマンド入力キー７を操作してロック解除用パスワードを入力する（２０２）。すると、要求ボタンが押された光アダプタ２に対応するリーダー５は、当該光コネクタプラグ１に取り付けられているメモリ４からロック解除のためのパスワードを読出す（２０３）。続いて制御部１１は、ステップ２０２で入力されたパスワードとステップ２０３で入力されたパスワードが一致しているか否かを判断する（２０４）。パスワードが一致した場合には、制御部１１は駆動部９を操作してロックピン１０をロック位置からアンロック位置に後退させ、ロック機構の解除を行わせる（２０５）。前記ロックピン１０のアンロック位置とは、その先端がアダプタ穴２ａの外にある位置である。ロック機構のロック解除により、当該光コネクタプラグを作業者は引き抜くことが可能になる。
【００２１】
ステップ２０５のロック解除動作が終了すると、制御部１１は通信部１２を介して、光アダプタに挿入接続された当該光コネクタプラグがロック解除されたことを外部に通知する（２０６）。ステップ２０４において、パスワードが不一致であると判定した場合には、制御部１１はロック機構のロックを継続し（２０７）、続いて通信部１２を介して、パスワード不一致であることを外部に通知する（２０８）。作業員のパスワード入力ミスもありうるので、パスワード不一致の判定結果は表示部８に表示させるようにしてもよい。これによって、作業者はコマンド入力キー７を操作して再度のパスワード入力を行うことができる。ステップ２０６と２０８の後は、動作の流れはステップ２０１に戻る。
【００２２】
以上、本発明をメモリ付き光コネクタプラグと光アダプタを用いた配線管理装置の実施例について詳細に説明したが、本発明は電気信号線用のメモリ付きコネクタプラグとアダプタを用いた配線管理装置に適用できることは勿論である。また、コネクタ収容装置は、実施例におけるパネルでなく基板であってもよい。更にまた、メモリ付き光コネクタプラグのロック又はアンロックは、個別に行う上述の実施例だけでなく、一括して行うことも可能である。
【産業上の利用可能性】
【００２３】
本発明に係る配線管理装置は、例えば本出願人が市販しているメモリ付光コネクタを用いて構成できるので、製造販売される可能性は確実である。
【図面の簡単な説明】
【００２４】
【図１】本発明の一実施例の配線管理装置の斜視図である。
【図２】メモリ付き光コネクタプラグの一実施例の斜視図である。
【図３】（Ａ）はメモリ付き光コネクタプラグが光アダプタに挿入接続される前の模式的断面図、（Ｂ）はメモリ付き光コネクタプラグが光アダプタに挿入接続され且つロックされた状態の模式的断面図をそれぞれ示す。
【図４】本発明の一実施例の配線管理装置のブロック構成図である。
【図５】メモリ付き光コネクタプラグが光アダプタに挿入接続されたときの本発明の一実施例の配線管理装置の動作の一例を示すフローチャートである。
【図６】光アダプタに挿入接続されたメモリ付き光コネクタプラグを引き抜くときの本発明の一実施例の配線管理装置の動作の一例を示すフローチャートである。
【符号の説明】
【００２５】
１  メモリ付き光コネクタプラグ
１ａ  ロック穴
２  光アダプタ
２ａ  アダプタ穴
３  パネル
４  メモリ
５  リーダー
６  要求ボタン
７  コマンド入力キー
８  表示部
９  駆動部
１０  ロックピン
１１  制御部
１２  通信部
【図１】
2005084162.tif 000003
【図２】
2005084162.tif 000004
【図３】
2005084162.tif 000005
【図４】
2005084162.tif 000006
【図５】
2005084162.tif 000007
【図６】
2005084162.tif 000008